(57)【要約】基地局１０１は、あらかじめ設定された送信電力値が、あらかじめ設定された閾値よりも小さな場合、閾値を通知電力値とし、送信電力値から閾値を差し引いた値を補正電力値とし、それらをＵＥ３０１へ送信し、ＵＥ３０１は、基地局１０１から送信されてきた通知電力値および補正電力値を受信する。
2010122834.tif 000002
【特許請求の範囲】
【請求項１】
通信端末と、該通信端末へ基準信号を送信する無線基地局とから構成された通信システムにおいて、
前記無線基地局は、前記基準信号の送信電力の値としてあらかじめ設定された送信電力値が、あらかじめ設定された閾値よりも小さな場合、前記閾値を通知電力値とし、前記送信電力値から前記閾値を差し引いた値を補正電力値とし、前記通知電力値および前記補正電力値を前記通信端末へ送信し、
前記通信端末は、前記通知電力値および前記補正電力値を受信する、通信システム。
【請求項２】
請求項１に記載の通信システムにおいて、
前記無線基地局は、前記送信電力値と前記閾値とが同じ場合、前記補正電力値に０を設定し、該補正電力値および前記通知電力値を前記通信端末へ前記送信電力で送信する、通信システム。
【請求項３】
請求項１に記載の通信システムにおいて、
前記無線基地局は、該無線基地局がカバーするセルと隣接するセルをカバーする近隣無線基地局へ前記通知電力値および前記補正電力値とを送信し、
前記近隣無線基地局は、前記無線基地局から送信されてきた前記通知電力値が前記閾値より大きい場合、前記通知電力値を前記無線基地局から送信される前記基準信号の送信電力値として認識し、前記無線基地局から送信されてきた前記通知電力値と前記閾値とが同じ場合、前記無線基地局から送信されてきた前記補正電力値と前記通知電力値とを足した値を前記無線基地局から送信される前記基準信号の送信電力値として認識する、通信システム。
【請求項４】
請求項１に記載の通信システムにおいて、
前記通信端末は、前記無線基地局から送信されてきた前記通知電力値と前記閾値とが同じであっても、前記通知電力値を前記無線基地局から送信される前記基準信号の送信電力値として認識する、通信システム。
【請求項５】
請求項１〜４のいずれか１項に記載の通信システムにおいて、
前記基準信号がプライマリ共通パイロットチャネルである、通信システム。
【請求項６】
無線通信機能を有する通信端末と、該通信端末と無線通信を行い、該通信端末へプライマリ共通パイロットチャネルの信号を送信する無線基地局と、該無線基地局を制御する無線基地局制御装置とから構成された通信システムにおいて、
前記無線基地局制御装置は、前記プライマリ共通パイロットチャネルの送信電力の値としてあらかじめ設定された送信電力値が、あらかじめ設定された第１の閾値以上である場合、前記送信電力値を第１の通知電力値として前記無線基地局へ送信し、前記送信電力値が前記第１の閾値よりも小さな場合、前記第１の閾値を前記第１の通知電力値とし、前記送信電力値から前記第１の閾値を差し引いた値を第１の補正電力値とし、前記第１の通知電力値および前記第１の補正電力値を前記無線基地局へ送信し、
前記無線基地局は、前記無線基地局制御装置から送信されてきた前記第１の通知電力値と前記第１の閾値とが異なる場合、前記第１の通知電力値を当該無線基地局から送信される前記プライマリ共通パイロットチャネルの送信電力値として認識し、前記無線基地局制御装置から送信されてきた前記第１の通知電力値と前記第１の閾値とが同じ場合、前記無線基地局制御装置から送信されてきた前記第１の補正電力値と前記第１の通知電力値とを足した値を当該無線基地局から送信される前記プライマリ共通パイロットチャネルの送信電力値として認識し、該認識した送信電力値が、あらかじめ設定された第２の閾値以上である場合、前記送信電力値を第２の通知電力値として前記通信端末へ前記送信電力で送信し、前記送信電力値が前記第２の閾値よりも小さな場合、前記第２の閾値を前記第２の通知電力値とし、前記送信電力値から前記第２の閾値を差し引いた値を第２の補正電力値とし、前記第２の通知電力値および前記第２の補正電力値を前記通信端末へ前記送信電力で送信し、
前記通信端末は、前記無線基地局から送信されてきた前記第２の通知電力値と前記第２の閾値とが異なる場合、前記第２の通知電力値を前記無線基地局から送信される前記プライマリ共通パイロットチャネルの送信電力値として認識し、前記無線基地局から送信されてきた前記第２の通知電力値と前記第２の閾値とが同じ場合、前記無線基地局から送信されてきた前記第２の補正電力値と前記第２の通知電力値とを足した値を前記無線基地局から送信される前記プライマリ共通パイロットチャネルの送信電力値として認識する、通信システム。
【請求項７】
無線通信機能を有する通信端末と無線通信を行い、該通信端末へプライマリ共通パイロットチャネルの信号を送信する無線基地局であって、
前記プライマリ共通パイロットチャネルの送信電力の値としてあらかじめ設定された送信電力値を記憶するメモリと、
前記メモリに記憶された送信電力値とあらかじめ設定された閾値とを比較する送信電力値比較部と、
前記送信電力値比較部における比較の結果、前記送信電力値が前記閾値以上である場合、前記送信電力値を通知電力値とし、前記送信電力値が前記閾値よりも小さな場合、前記閾値を前記通知電力値とし、前記送信電力値から前記閾値を差し引いた値を補正電力値として、前記通知電力値および前記補正電力値を含んだ無線制御メッセージを組み立てる無線制御メッセージ組立部と、
前記無線制御メッセージ組立部が組み立てた無線制御メッセージを前記送信電力で前記通信端末へ送信する送信部とを有する、無線基地局。
【請求項８】
請求項７に記載の無線基地局において、
前記無線制御メッセージ組立部は、前記送信電力値比較部における比較の結果、前記送信電力値と前記閾値とが同じ場合、前記補正電力値に０を設定する、無線基地局。
【請求項９】
請求項７に記載の無線基地局において、
前記送信部は、当該無線基地局がカバーするセルと隣接するセルをカバーする近隣無線基地局へ前記無線制御メッセージを送信し、
前記近隣無線基地局から前記無線制御メッセージが送信されてきた場合、該送信されてきた前記無線制御メッセージに含まれる前記通知電力値と前記閾値とを比較する通知電力値比較部と、
前記通知電力値比較部における比較の結果、前記通知電力値と前記閾値とが異なる場合、前記通知電力値を前記近隣無線基地局から送信される前記プライマリ共通パイロットチャネルの送信電力値として認識し、前記通知電力値と前記閾値とが同じ場合、前記無線制御メッセージに含まれる前記補正電力値と前記通知電力値とを足した値を前記近隣無線基地局から送信される前記プライマリ共通パイロットチャネルの送信電力値として認識する認識部とを有する、無線基地局。
【請求項１０】
無線通信機能を有する通信端末と無線通信を行い、該通信端末へプライマリ共通パイロットチャネルの信号を送信する無線基地局であって、
当該無線基地局を制御する無線基地局制御装置から送信されてきた第１の通知電力値とあらかじめ設定された第１の閾値とを比較する通知電力値比較部と、
前記通知電力値比較部における比較の結果、前記第１の通知電力値と前記第１の閾値とが異なる場合、前記第１の通知電力値を当該無線基地局から送信される前記プライマリ共通パイロットチャネルの送信電力値として認識し、前記第１の通知電力値と前記第１の閾値とが同じ場合、前記無線基地局制御装置から送信されてきた第１の補正電力値と前記第１の通知電力値とを足した値を当該無線基地局から送信される前記プライマリ共通パイロットチャネルの送信電力値として認識する認識部と、
前記認識部が認識した送信電力値とあらかじめ設定された第２の閾値とを比較する送信電力値比較部と、
前記送信電力値比較部における比較の結果、前記送信電力値が前記第２の閾値以上である場合、前記送信電力値を第２の通知電力値とし、前記送信電力値が前記第２の閾値よりも小さな場合、前記第２の閾値を前記第２の通知電力値とし、前記送信電力値から前記第２の閾値を差し引いた値を第２の補正電力値として、前記第２の通知電力値および前記第２の補正電力値を含んだ無線制御メッセージを組み立てる無線制御メッセージ組立部と、
前記無線制御メッセージ組立部が組み立てた無線制御メッセージを前記送信電力で前記通信端末へ送信する送信部とを有する、無線基地局。
【請求項１１】
無線通信機能を有する通信端末へプライマリ共通パイロットチャネルの信号を送信する無線基地局を制御する無線基地局制御装置であって、
前記プライマリ共通パイロットチャネルの送信電力の値としてあらかじめ設定された送信電力値を記憶するメモリと、
前記メモリに記憶された送信電力値とあらかじめ設定された閾値とを比較する送信電力値比較部と、
前記送信電力値比較部における比較の結果、前記送信電力値が前記閾値以上である場合、前記送信電力値を通知電力値とし、前記送信電力値が前記閾値よりも小さな場合、前記閾値を前記通知電力値とし、前記送信電力値から前記閾値を差し引いた値を補正電力値として、前記通知電力値および前記補正電力値を含んだ送信メッセージを組み立てる送信メッセージ組立部と、
前記送信メッセージ組立部が組み立てた送信メッセージを前記無線基地局へ送信する送信部とを有する、無線基地局制御装置。
【請求項１２】
無線通信機能を有し、プライマリ共通パイロットチャネルの信号を送信する無線基地局と接続可能に構成された通信端末であって、
前記無線基地局から送信されてきた無線制御メッセージに含まれる通知電力値とあらかじめ設定された閾値とを比較する通知電力値比較部と、
前記通知電力値比較部における比較の結果、前記通知電力値と前記閾値とが同じ場合、前記無線制御メッセージから補正電力値を抽出する抽出部と、
前記抽出部が抽出した補正電力値に前記通知電力値を加算する計算部と、
前記通知電力値比較部における比較の結果、前記通知電力値と前記閾値とが異なる場合、前記通知電力値を前記無線基地局から送信される前記プライマリ共通パイロットチャネルの送信電力値として認識し、前記通知電力値と前記閾値とが同じ場合、前記計算部が計算した値を前記無線基地局から送信される前記プライマリ共通パイロットチャネルの送信電力値として認識する認識部とを有する、通信端末。
【請求項１３】
請求項１２に記載の通信端末において、
前記認識部は、前記通知電力値比較部における比較の結果、前記通知電力値と前記閾値とが同じであっても、前記通知電力値を前記無線基地局から送信される前記プライマリ共通パイロットチャネルの送信電力値として認識する、通信端末。
【請求項１４】
無線通信機能を有する通信端末と、該通信端末と無線通信を行い、該通信端末へプライマリ共通パイロットチャネルの信号を送信する無線基地局とから構成された通信システムにおける送信電力値通知方法であって、
前記無線基地局が、前記プライマリ共通パイロットチャネルの送信電力の値としてあらかじめ設定された送信電力値と、あらかじめ設定された閾値とを比較する処理と、
前記無線基地局が、前記比較の結果、前記送信電力値が前記閾値以上である場合、前記送信電力値を通知電力値として、該通知電力値を前記通信端末へ送信する処理と、
前記無線基地局が、前記比較の結果、前記送信電力値が前記閾値よりも小さな場合、前記閾値を前記通知電力値とし、前記送信電力値から前記閾値を差し引いた値を補正電力値とし、前記通知電力値および前記補正電力値を前記通信端末へ送信する処理と、
前記通信端末が、前記無線基地局から送信されてきた前記通知電力値と前記閾値とを比較する処理と、
前記通信端末が、前記通知電力値と前記閾値とが異なる場合、前記通知電力値を前記無線基地局から送信される前記プライマリ共通パイロットチャネルの送信電力値として認識する処理と、
前記通信端末が、前記通知電力値と前記閾値とが同じ場合、前記無線基地局から送信されてきた前記補正電力値と前記通知電力値とを足した値を前記無線基地局から送信される前記プライマリ共通パイロットチャネルの送信電力値として認識する処理とを有する送信電力値通知方法。
【請求項１５】
無線通信機能を有する通信端末と、該通信端末と無線通信を行い、該通信端末へプライマリ共通パイロットチャネルの信号を送信する無線基地局と、該無線基地局を制御する無線基地局制御装置とから構成された通信システムにおける送信電力値通知方法であって、
前記無線基地局制御装置が、前記プライマリ共通パイロットチャネルの送信電力の値としてあらかじめ設定された送信電力値と、あらかじめ設定された第１の閾値とを比較する処理と、
前記無線基地局制御装置が、前記比較の結果、前記送信電力値が前記第１の閾値以上である場合、前記送信電力値を第１の通知電力値として前記無線基地局へ送信する処理と、
前記無線基地局制御装置が、前記比較の結果、前記送信電力値が前記第１の閾値よりも小さな場合、前記第１の閾値を前記第１の通知電力値とし、前記送信電力値から前記第１の閾値を差し引いた値を第１の補正電力値とし、前記第１の通知電力値および前記第１の補正電力値を前記無線基地局へ送信する処理と、
前記無線基地局が、前記無線基地局制御装置から送信されてきた前記第１の通知電力値と前記第１の閾値とを比較する処理と、
前記無線基地局が、前記比較の結果、前記第１の通知電力値と前記第１の閾値とが異なる場合、前記第１の通知電力値を当該無線基地局から送信される前記プライマリ共通パイロットチャネルの送信電力値として認識する処理と、
前記無線基地局が、前記比較の結果、前記第１の通知電力値と前記第１の閾値とが同じ場合、前記第１の補正電力値と前記第１の通知電力値とを足した値を当該無線基地局から送信される前記プライマリ共通パイロットチャネルの送信電力値として認識する処理と、
前記無線基地局が、前記認識した送信電力値と、あらかじめ設定された第２の閾値とを比較する処理と、
前記無線基地局が、前記比較の結果、前記送信電力値が前記第２の閾値以上である場合、前記送信電力値を第２の通知電力値として前記通信端末へ前記送信電力で送信する処理と、
前記無線基地局が、前記比較の結果、前記送信電力値が前記第２の閾値よりも小さな場合、前記第２の閾値を前記第２の通知電力値とし、前記送信電力値から前記第２の閾値を差し引いた値を第２の補正電力値とし、前記第２の通知電力値および前記第２の補正電力値を前記通信端末へ前記送信電力で送信する処理と、
前記通信端末が、前記無線基地局から送信されてきた前記第２の通知電力値と前記第２の閾値とを比較する処理と、
前記通信端末が、前記比較の結果、前記第２の通知電力値と前記第２の閾値とが異なる場合、前記第２の通知電力値を前記無線基地局から送信される前記プライマリ共通パイロットチャネルの送信電力値として認識する処理と、
前記通信端末が、前記比較の結果、前記第２の通知電力値と前記第２の閾値とが同じ場合、前記第２の補正電力値と前記第２の通知電力値とを足した値を前記無線基地局から送信される前記プライマリ共通パイロットチャネルの送信電力値として認識する処理とを有する送信電力値通知方法。
【請求項１６】
無線通信機能を有する通信端末と無線通信を行い、該通信端末へプライマリ共通パイロットチャネルの信号を送信する無線基地局が前記通信端末へ送信電力値を通知する送信電力値通知方法であって、
前記プライマリ共通パイロットチャネルの送信電力の値としてあらかじめ設定された送信電力値とあらかじめ設定された閾値とを比較する処理と、
前記比較の結果、前記送信電力値が前記閾値以上である場合、前記送信電力値を通知電力値として、該通知電力値を前記通信端末へ送信する処理と、
前記比較の結果、前記送信電力値が前記閾値よりも小さな場合、前記閾値を前記通知電力値とし、前記送信電力値から前記閾値を差し引いた値を補正電力値とし、前記通知電力値および前記補正電力値を前記通信端末へ送信する処理とを有する送信電力値通知方法。
【請求項１７】
無線通信機能を有する通信端末と無線通信を行い、該通信端末へプライマリ共通パイロットチャネルの信号を送信する無線基地局が前記通信端末へ送信電力値を通知する送信電力値通知方法であって、
当該無線基地局を制御する無線基地局制御装置から送信されてきた第１の通知電力値とあらかじめ設定された第１の閾値とを比較する処理と、
前記比較の結果、前記第１の通知電力値と前記第１の閾値とが異なる場合、前記第１の通知電力値を当該無線基地局から送信される前記プライマリ共通パイロットチャネルの送信電力値として認識する処理と、
前記比較の結果、前記第１の通知電力値と前記第１の閾値とが同じ場合、前記無線基地局制御装置から送信されてきた第１の補正電力値と前記第１の通知電力値とを足した値を当該無線基地局から送信される前記プライマリ共通パイロットチャネルの送信電力値として認識する処理と、
前記認識した送信電力値と、あらかじめ設定された第２の閾値とを比較する処理と、
前記比較の結果、前記送信電力値が前記第２の閾値以上である場合、前記送信電力値を第２の通知電力値として前記通信端末へ前記送信電力で送信する処理と、
前記比較の結果、前記送信電力値が前記第２の閾値よりも小さな場合、前記第２の閾値を前記第２の通知電力値とし、前記送信電力値から前記第２の閾値を差し引いた値を第２の補正電力値とし、前記第２の通知電力値および前記第２の補正電力値を前記通信端末へ前記送信電力で送信する処理とを有する送信電力値通知方法。
【請求項１８】
無線通信機能を有する通信端末へプライマリ共通パイロットチャネルの信号を送信する無線基地局を制御する無線基地局制御装置が前記無線基地局から前記通信端末への送信電力値を通知する送信電力値通知方法であって、
前記プライマリ共通パイロットチャネルの送信電力の値としてあらかじめ設定された送信電力値と、あらかじめ設定された閾値とを比較する処理と、
前記比較の結果、前記送信電力値が前記閾値以上である場合、前記送信電力値を通知電力値として前記無線基地局へ送信する処理と、
前記比較の結果、前記送信電力値が前記閾値よりも小さな場合、前記閾値を前記通知電力値とし、前記送信電力値から前記閾値を差し引いた値を補正電力値とし、前記通知電力値および前記補正電力値を前記無線基地局へ送信する処理とを有する送信電力値通知方法。
【請求項１９】
無線通信機能を有し、プライマリ共通パイロットチャネルの信号を送信する無線基地局と接続可能に構成された通信端末が前記無線基地局からの送信電力値を認識する方法であって、
前記無線基地局から送信されてきた無線制御メッセージに含まれる通知電力値とあらかじめ設定された閾値とを比較する処理と、
前記比較の結果、前記通知電力値と前記閾値とが異なる場合、前記通知電力値を前記無線基地局から送信される前記プライマリ共通パイロットチャネルの送信電力値として認識する処理と、
前記比較の結果、前記通知電力値と前記閾値とが同じ場合、前記無線基地局から送信されてきた前記無線制御メッセージに含まれる補正電力値と前記通知電力値とを足した値を前記無線基地局から送信される前記プライマリ共通パイロットチャネルの送信電力値として認識する処理とを有する方法。
【発明の詳細な説明】
【技術分野】
【０００１】
本発明は、信号の送信電力値を通知する通信システム、無線基地局、無線基地局制御装置、通信端末および送信電力値通知方法に関する。
【背景技術】
【０００２】
近年、無線通信技術の急速な普及が進んでおり、通信される無線上には様々な物理チャネルが存在する。その中で下り方向（無線基地局から通信端末への方向）のチャネルの１つに、ハンドオーバー等の基準でその電力強度が用いられるプライマリ共通パイロットチャネル（Ｐｒｉｍａｒｙ  ＣＰＩＣＨ：Ｃｏｍｍｏｎ  Ｐｉｌｏｔ  Ｃｈａｎｎｅｌ）がある（例えば、非特許文献１参照。）。このプライマリ共通パイロットチャネル（以下、Ｐｒｉｍａｒｙ  ＣＰＩＣＨと称する）が送信される際に用いられる送信電力値は、無線基地局から通信端末へ通知される。この送信電力値は、無線基地局から通信端末へ送信される所定の無線制御メッセージの中に示されることによる。【０００３】
図１は、標準化で規定された無線制御メッセージに示されるＰｒｉｍａｒｙ  ＣＰＩＣＨの送信電力値を示す図である。【０００４】
図１に示すように、Ｐｒｉｍａｒｙ  ＣＰＩＣＨの送信電力値（Ｔｘ  Ｐｏｗｅｒ）の設定範囲は、−１０〜５０［ｄＢｍ］となっている。
【先行技術文献】
【非特許文献】
【０００５】
【非特許文献１】３ＧＰＰ  ＴＳ２５．３３１
【発明の概要】
【発明が解決しようとする課題】
【０００６】
最近では、例えば、家や会社などの屋内に、数Ｍ〜数十Ｍの通信可能範囲を持つだけでよい小型無線基地局装置が設置されるケースが多くなってきている。このような小型無線基地局装置において、さらに小さな通信可能範囲を持つだけで良いケースも考えられていて、当該小型無線基地局装置から送信されるＰｒｉｍａｒｙ  ＣＰＩＣＨの送信電力値は非常に小さな値でもかまわない。例えば、通信範囲が数メートル以下においては、−１０［ｄＢｍ］を下回る送信電力値でＰｒｉｍａｒｙ  ＣＰＩＣＨを送信するだけで良い。【０００７】
また、それらの小型無線基地局装置では、その立ち上げ時は、近隣のマクロ無線基地局装置や小型無線基地局装置からの受信電力及び電力減衰率を把握し、それら近隣の無線基地局に影響を与えないように、送信電力を絞ることが考えられている。そのため、当該小型無線基地局装置から送信される信号の送信電力は小さな値であることが求められている。【０００８】
さらに、無線基地局装置は夜間など使用するユーザがいない時間帯などで節約モードを備えている場合、自らカバレッジを小さくするために送信電力を絞ることが考えられている。そのため、当該小型無線基地局装置から送信される信号の送信電力は小さな値であることが求められている。【０００９】
しかしながら、Ｐｒｉｍａｒｙ  ＣＰＩＣＨの送信電力値が上述したような範囲でしか設定できない場合、その範囲よりも小さな送信電力値（例えば、−１０［ｄＢｍ］よりも小さな−５０［ｄＢｍ］）を設定することができない。そのため、無線基地局装置は、上記範囲よりも小さな送信電力値でＰｒｉｍａｒｙ  ＣＰＩＣＨを送信したいことを通信端末へ通知できず、通信端末もそれを知ることができない。【００１０】
例えば、通信端末のアップリンクの送信電力は、Ｐｒｉｍａｒｙ  ＣＰＩＣＨの送信電力値に連動して決定される。そのため、上記通知を受けていない通信端末が、無線基地局装置に対する送信電力値が十分小さくても良い場合であっても、不要な電力を消費してしまう問題が生じる。【００１１】
また、上述のように設定できないため、小型無線基地局装置のような無線基地局から送信されるＰｒｉｍａｒｙ  ＣＰＩＣＨの送信電力値が、不要に大きな値となってしまい、その結果、無線干渉や無駄な電力消費を生じてしまうという問題点がある。【００１２】
本発明の目的は、上述したいずれかの課題の少なくとも１つを解決する通信システム、無線基地局、無線基地局制御装置、通信端末および送信電力値通知方法を提供することである。
【課題を解決するための手段】
【００１３】
本発明の通信システムは、
通信端末と、該通信端末へ基準信号を送信する無線基地局とから構成された通信システムであって、
前記無線基地局は、前記基準信号の送信電力の値としてあらかじめ設定された送信電力値が、あらかじめ設定された閾値よりも小さな場合、前記閾値を通知電力値とし、前記送信電力値から前記閾値を差し引いた値を補正電力値とし、前記通知電力値および前記補正電力値を前記通信端末へ送信し、
前記通信端末は、前記通知電力値および前記補正電力値を受信する。【００１４】
また、本発明の通信システムは、
無線通信機能を有する通信端末と、該通信端末と無線通信を行い、該通信端末へプライマリ共通パイロットチャネルの信号を送信する無線基地局と、該無線基地局を制御する無線基地局制御装置とから構成された通信システムであって、
前記無線基地局制御装置は、前記プライマリ共通パイロットチャネルの送信電力の値としてあらかじめ設定された送信電力値が、あらかじめ設定された第１の閾値以上である場合、前記送信電力値を第１の通知電力値として前記無線基地局へ送信し、前記送信電力値が前記第１の閾値よりも小さな場合、前記第１の閾値を前記第１の通知電力値とし、前記送信電力値から前記第１の閾値を差し引いた値を第１の補正電力値とし、前記第１の通知電力値および前記第１の補正電力値を前記無線基地局へ送信し、
前記無線基地局は、前記無線基地局制御装置から送信されてきた前記第１の通知電力値と前記第１の閾値とが異なる場合、前記第１の通知電力値を当該無線基地局から送信される前記プライマリ共通パイロットチャネルの送信電力値として認識し、前記無線基地局制御装置から送信されてきた前記第１の通知電力値と前記第１の閾値とが同じ場合、前記無線基地局制御装置から送信されてきた前記第１の補正電力値と前記第１の通知電力値とを足した値を当該無線基地局から送信される前記プライマリ共通パイロットチャネルの送信電力値として認識し、該認識した送信電力値が、あらかじめ設定された第２の閾値以上である場合、前記送信電力値を第２の通知電力値として前記通信端末へ前記送信電力で送信し、前記送信電力値が前記第２の閾値よりも小さな場合、前記第２の閾値を前記第２の通知電力値とし、前記送信電力値から前記第２の閾値を差し引いた値を第２の補正電力値とし、前記第２の通知電力値および前記第２の補正電力値を前記通信端末へ前記送信電力で送信し、
前記通信端末は、前記無線基地局から送信されてきた前記第２の通知電力値と前記第２の閾値とが異なる場合、前記第２の通知電力値を前記無線基地局から送信される前記プライマリ共通パイロットチャネルの送信電力値として認識し、前記無線基地局から送信されてきた前記第２の通知電力値と前記第２の閾値とが同じ場合、前記無線基地局から送信されてきた前記第２の補正電力値と前記第２の通知電力値とを足した値を前記無線基地局から送信される前記プライマリ共通パイロットチャネルの送信電力値として認識する。【００１５】
また、本発明の無線基地局は、
無線通信機能を有する通信端末と無線通信を行い、該通信端末へプライマリ共通パイロットチャネルの信号を送信する無線基地局であって、
前記プライマリ共通パイロットチャネルの送信電力の値としてあらかじめ設定された送信電力値を記憶するメモリと、
前記メモリに記憶された送信電力値とあらかじめ設定された閾値とを比較する送信電力値比較部と、
前記送信電力値比較部における比較の結果、前記送信電力値が前記閾値以上である場合、前記送信電力値を通知電力値とし、前記送信電力値が前記閾値よりも小さな場合、前記閾値を前記通知電力値とし、前記送信電力値から前記閾値を差し引いた値を補正電力値として、前記通知電力値および前記補正電力値を含んだ無線制御メッセージを組み立てる無線制御メッセージ組立部と、
前記無線制御メッセージ組立部が組み立てた無線制御メッセージを前記送信電力で前記通信端末へ送信する送信部とを有する。【００１６】
また、本発明の無線基地局は、
無線通信機能を有する通信端末と無線通信を行い、該通信端末へプライマリ共通パイロットチャネルの信号を送信する無線基地局であって、
当該無線基地局を制御する無線基地局制御装置から送信されてきた第１の通知電力値とあらかじめ設定された第１の閾値とを比較する通知電力値比較部と、
前記通知電力値比較部における比較の結果、前記第１の通知電力値と前記第１の閾値とが異なる場合、前記第１の通知電力値を当該無線基地局から送信される前記プライマリ共通パイロットチャネルの送信電力値として認識し、前記第１の通知電力値と前記第１の閾値とが同じ場合、前記無線基地局制御装置から送信されてきた第１の補正電力値と前記第１の通知電力値とを足した値を当該無線基地局から送信される前記プライマリ共通パイロットチャネルの送信電力値として認識する認識部と、
前記認識部が認識した送信電力値とあらかじめ設定された第２の閾値とを比較する送信電力値比較部と、
前記送信電力値比較部における比較の結果、前記送信電力値が前記第２の閾値以上である場合、前記送信電力値を第２の通知電力値とし、前記送信電力値が前記第２の閾値よりも小さな場合、前記第２の閾値を前記第２の通知電力値とし、前記送信電力値から前記第２の閾値を差し引いた値を第２の補正電力値として、前記第２の通知電力値および前記第２の補正電力値を含んだ無線制御メッセージを組み立てる無線制御メッセージ組立部と、
前記無線制御メッセージ組立部が組み立てた無線制御メッセージを前記送信電力で前記通信端末へ送信する送信部とを有する。【００１７】
また、本発明の無線基地局制御装置は、
無線通信機能を有する通信端末へプライマリ共通パイロットチャネルの信号を送信する無線基地局を制御する無線基地局制御装置であって、
前記プライマリ共通パイロットチャネルの送信電力の値としてあらかじめ設定された送信電力値を記憶するメモリと、
前記メモリに記憶された送信電力値とあらかじめ設定された閾値とを比較する送信電力値比較部と、
前記送信電力値比較部における比較の結果、前記送信電力値が前記閾値以上である場合、前記送信電力値を通知電力値とし、前記送信電力値が前記閾値よりも小さな場合、前記閾値を前記通知電力値とし、前記送信電力値から前記閾値を差し引いた値を補正電力値として、前記通知電力値および前記補正電力値を含んだ送信メッセージを組み立てる送信メッセージ組立部と、
前記送信メッセージ組立部が組み立てた送信メッセージを前記無線基地局へ送信する送信部とを有する。【００１８】
また、本発明の通信端末は、
無線通信機能を有し、プライマリ共通パイロットチャネルの信号を送信する無線基地局と接続可能に構成された通信端末であって、
前記無線基地局から送信されてきた無線制御メッセージに含まれる通知電力値とあらかじめ設定された閾値とを比較する通知電力値比較部と、
前記通知電力値比較部における比較の結果、前記通知電力値と前記閾値とが同じ場合、前記無線制御メッセージから補正電力値を抽出する抽出部と、
前記抽出部が抽出した補正電力値に前記通知電力値を加算する計算部と、
前記通知電力値比較部における比較の結果、前記通知電力値と前記閾値とが異なる場合、前記通知電力値を前記無線基地局から送信される前記プライマリ共通パイロットチャネルの送信電力値として認識し、前記通知電力値と前記閾値とが同じ場合、前記計算部が計算した値を前記無線基地局から送信される前記プライマリ共通パイロットチャネルの送信電力値として認識する認識部とを有する。【００１９】
また、本発明の送信電力通知方法は、
無線通信機能を有する通信端末と、該通信端末と無線通信を行い、該通信端末へプライマリ共通パイロットチャネルの信号を送信する無線基地局とから構成された通信システムにおける送信電力値通知方法であって、
前記無線基地局が、前記プライマリ共通パイロットチャネルの送信電力の値としてあらかじめ設定された送信電力値と、あらかじめ設定された閾値とを比較する処理と、
前記無線基地局が、前記比較の結果、前記送信電力値が前記閾値以上である場合、前記送信電力値を通知電力値として、該通知電力値を前記通信端末へ送信する処理と、
前記無線基地局が、前記比較の結果、前記送信電力値が前記閾値よりも小さな場合、前記閾値を前記通知電力値とし、前記送信電力値から前記閾値を差し引いた値を補正電力値とし、前記通知電力値および前記補正電力値を前記通信端末へ送信する処理と、
前記通信端末が、前記無線基地局から送信されてきた前記通知電力値と前記閾値とを比較する処理と、
前記通信端末が、前記通知電力値と前記閾値とが異なる場合、前記通知電力値を前記無線基地局から送信される前記プライマリ共通パイロットチャネルの送信電力値として認識する処理と、
前記通信端末が、前記通知電力値と前記閾値とが同じ場合、前記無線基地局から送信されてきた前記補正電力値と前記通知電力値とを足した値を前記無線基地局から送信される前記プライマリ共通パイロットチャネルの送信電力値として認識する処理とを有する。【００２０】
また、本発明の送信電力通知方法は、
無線通信機能を有する通信端末と、該通信端末と無線通信を行い、該通信端末へプライマリ共通パイロットチャネルの信号を送信する無線基地局と、該無線基地局を制御する無線基地局制御装置とから構成された通信システムにおける送信電力値通知方法であって、
前記無線基地局制御装置が、前記プライマリ共通パイロットチャネルの送信電力の値としてあらかじめ設定された送信電力値と、あらかじめ設定された第１の閾値とを比較する処理と、
前記無線基地局制御装置が、前記比較の結果、前記送信電力値が前記第１の閾値以上である場合、前記送信電力値を第１の通知電力値として前記無線基地局へ送信する処理と、
前記無線基地局制御装置が、前記比較の結果、前記送信電力値が前記第１の閾値よりも小さな場合、前記第１の閾値を前記第１の通知電力値とし、前記送信電力値から前記第１の閾値を差し引いた値を第１の補正電力値とし、前記第１の通知電力値および前記第１の補正電力値を前記無線基地局へ送信する処理と、
前記無線基地局が、前記無線基地局制御装置から送信されてきた前記第１の通知電力値と前記第１の閾値とを比較する処理と、
前記無線基地局が、前記比較の結果、前記第１の通知電力値と前記第１の閾値とが異なる場合、前記第１の通知電力値を当該無線基地局から送信される前記プライマリ共通パイロットチャネルの送信電力値として認識する処理と、
前記無線基地局が、前記比較の結果、前記第１の通知電力値と前記第１の閾値とが同じ場合、前記第１の補正電力値と前記第１の通知電力値とを足した値を当該無線基地局から送信される前記プライマリ共通パイロットチャネルの送信電力値として認識する処理と、
前記無線基地局が、前記認識した送信電力値と、あらかじめ設定された第２の閾値とを比較する処理と、
前記無線基地局が、前記比較の結果、前記送信電力値が前記第２の閾値以上である場合、前記送信電力値を第２の通知電力値として前記通信端末へ前記送信電力で送信する処理と、
前記無線基地局が、前記比較の結果、前記送信電力値が前記第２の閾値よりも小さな場合、前記第２の閾値を前記第２の通知電力値とし、前記送信電力値から前記第２の閾値を差し引いた値を第２の補正電力値とし、前記第２の通知電力値および前記第２の補正電力値を前記通信端末へ前記送信電力で送信する処理と、
前記通信端末が、前記無線基地局から送信されてきた前記第２の通知電力値と前記第２の閾値とを比較する処理と、
前記通信端末が、前記比較の結果、前記第２の通知電力値と前記第２の閾値とが異なる場合、前記第２の通知電力値を前記無線基地局から送信される前記プライマリ共通パイロットチャネルの送信電力値として認識する処理と、
前記通信端末が、前記比較の結果、前記第２の通知電力値と前記第２の閾値とが同じ場合、前記第２の補正電力値と前記第２の通知電力値とを足した値を前記無線基地局から送信される前記プライマリ共通パイロットチャネルの送信電力値として認識する処理とを有する。【００２１】
また、本発明の送信電力通知方法は、
無線通信機能を有する通信端末と無線通信を行い、該通信端末へプライマリ共通パイロットチャネルの信号を送信する無線基地局が前記通信端末へ送信電力値を通知する送信電力値通知方法であって、
前記プライマリ共通パイロットチャネルの送信電力の値としてあらかじめ設定された送信電力値とあらかじめ設定された閾値とを比較する処理と、
前記比較の結果、前記送信電力値が前記閾値以上である場合、前記送信電力値を通知電力値として、該通知電力値を前記通信端末へ送信する処理と、
前記比較の結果、前記送信電力値が前記閾値よりも小さな場合、前記閾値を前記通知電力値とし、前記送信電力値から前記閾値を差し引いた値を補正電力値とし、前記通知電力値および前記補正電力値を前記通信端末へ送信する処理とを有する。【００２２】
また、本発明の送信電力通知方法は、
無線通信機能を有する通信端末と無線通信を行い、該通信端末へプライマリ共通パイロットチャネルの信号を送信する無線基地局が前記通信端末へ送信電力値を通知する送信電力値通知方法であって、
当該無線基地局を制御する無線基地局制御装置から送信されてきた第１の通知電力値とあらかじめ設定された第１の閾値とを比較する処理と、
前記比較の結果、前記第１の通知電力値と前記第１の閾値とが異なる場合、前記第１の通知電力値を当該無線基地局から送信される前記プライマリ共通パイロットチャネルの送信電力値として認識する処理と、
前記比較の結果、前記第１の通知電力値と前記第１の閾値とが同じ場合、前記無線基地局制御装置から送信されてきた第１の補正電力値と前記第１の通知電力値とを足した値を当該無線基地局から送信される前記プライマリ共通パイロットチャネルの送信電力値として認識する処理と、
前記認識した送信電力値と、あらかじめ設定された第２の閾値とを比較する処理と、
前記比較の結果、前記送信電力値が前記第２の閾値以上である場合、前記送信電力値を第２の通知電力値として前記通信端末へ前記送信電力で送信する処理と、
前記比較の結果、前記送信電力値が前記第２の閾値よりも小さな場合、前記第２の閾値を前記第２の通知電力値とし、前記送信電力値から前記第２の閾値を差し引いた値を第２の補正電力値とし、前記第２の通知電力値および前記第２の補正電力値を前記通信端末へ前記送信電力で送信する処理とを有する。【００２３】
また、本発明の送信電力通知方法は、
無線通信機能を有する通信端末へプライマリ共通パイロットチャネルの信号を送信する無線基地局を制御する無線基地局制御装置が前記無線基地局から前記通信端末への送信電力値を通知する送信電力値通知方法であって、
前記プライマリ共通パイロットチャネルの送信電力の値としてあらかじめ設定された送信電力値と、あらかじめ設定された閾値とを比較する処理と、
前記比較の結果、前記送信電力値が前記閾値以上である場合、前記送信電力値を通知電力値として前記無線基地局へ送信する処理と、
前記比較の結果、前記送信電力値が前記閾値よりも小さな場合、前記閾値を前記通知電力値とし、前記送信電力値から前記閾値を差し引いた値を補正電力値とし、前記通知電力値および前記補正電力値を前記無線基地局へ送信する処理とを有する。【００２４】
また、本発明の送信電力通知方法は、
無線通信機能を有し、プライマリ共通パイロットチャネルの信号を送信する無線基地局と接続可能に構成された通信端末が前記無線基地局からの送信電力値を認識する方法であって、
前記無線基地局から送信されてきた無線制御メッセージに含まれる通知電力値とあらかじめ設定された閾値とを比較する処理と、
前記比較の結果、前記通知電力値と前記閾値とが異なる場合、前記通知電力値を前記無線基地局から送信される前記プライマリ共通パイロットチャネルの送信電力値として認識する処理と、
前記比較の結果、前記通知電力値と前記閾値とが同じ場合、前記無線基地局から送信されてきた前記無線制御メッセージに含まれる補正電力値と前記通知電力値とを足した値を前記無線基地局から送信される前記プライマリ共通パイロットチャネルの送信電力値として認識する処理とを有する。
【発明の効果】
【００２５】
以上説明したように本発明においては、無線基地局は、あらかじめ設定されたプライマリ共通パイロットチャネルの送信電力値が、あらかじめ設定された値の範囲より小さな場合であっても、その送信電力値を通信端末へ送信する構成としたため、無線通信システムにおける無線干渉や無駄な電力消費を生じてしまうことを防ぐことができる。
【図面の簡単な説明】
【００２６】
【図１】標準化で規定された無線制御メッセージに示されるＰｒｉｍａｒｙ  ＣＰＩＣＨの送信電力値を示す図である。
【図２】本発明の通信システムの第１の実施の形態を示す図である。
【図３】図２に示した基地局の内部構成の一例を示す図である。
【図４】図３に示した無線制御メッセージ組立部が組み立てる無線制御メッセージの自セル情報を示すパラメータの構成例を示す図である。
【図５】図３に示した無線制御メッセージ組立部が組み立てる無線制御メッセージの近隣セル情報を示すパラメータの構成例を示す図である。
【図６】図３に示した無線制御メッセージ組立部が組み立てる無線制御メッセージに含まれる、図４および図５に示したＰｒｉｍａｒｙ  ＣＰＩＣＨの送信電力値（Ｔｘ  Ｐｏｗｅｒ）の範囲を示すパラメータの構成例を示す図である。
【図７】図３に示した無線制御メッセージ組立部が組み立てる無線制御メッセージに含まれる、図４および図５に示したＤｅｌｔａ  Ｐｒｉｍａｒｙ  ＣＰＩＣＨ  Ｔｘ  Ｐｏｗｅｒの範囲を示すパラメータの構成例を示す図である。
【図８】図２に示したＵＥの内部構成の一例を示す図である。
【図９】本形態における送信電力値通知方法のうち、図２に示した基地局における処理を説明するためのフローチャートである。
【図１０】本形態における送信電力値通知方法のうち、図２に示したＵＥにおける処理を説明するためのフローチャートである。
【図１１】上述したパラメータの設定方法の一例を説明するための図である。
【図１２】上述したパラメータの設定方法の一例を説明するための図である。
【図１３】上述したパラメータの設定方法の一例を説明するための図である。
【図１４】本発明の通信システムの第２の実施の形態を示す図である。
【図１５】図１４に示した基地局の内部構成の一例を示す図である。
【図１６】本発明の通信システムの第３の実施の形態を示す図である。
【図１７】図１６に示したＲＮＣの内部構成の一例を示す図である。
【図１８】図１６に示した基地局の内部構成の一例を示す図である。
【図１９】Ｐｒｉｍａｒｙ  ＣＰＩＣＨ  Ｔｘ  Ｐｏｗｅｒの設定範囲を拡張した場合のパラメータの一例を示す図である。
【図２０】送信電力値がＰｒｉｍａｒｙ  ＣＰＩＣＨ  Ｔｘ  Ｐｏｗｅｒの設定範囲の下限を下回る場合に用いられるパラメータの設定方法の一例を説明するための図である。
【図２１】送信電力値がＰｒｉｍａｒｙ  ＣＰＩＣＨ  Ｔｘ  Ｐｏｗｅｒの設定範囲の下限を下回る場合に用いられるパラメータの設定方法の一例を説明するための図である。
【図２２】送信電力値がＰｒｉｍａｒｙ  ＣＰＩＣＨ  Ｔｘ  Ｐｏｗｅｒの設定範囲の下限を下回る場合に用いられるパラメータの設定方法の一例を説明するための図である。
【発明を実施するための形態】
【００２７】
以下に、本発明の実施の形態について図面を参照して説明する。
（第１の実施の形態）
図２は、本発明の通信システムの第１の実施の形態を示す図である。
【００２８】
本形態は図２に示すように、基地局１０１と、ＵＥ３０１とから構成されており、基地局１０１がカバーするセル２０１と、他の基地局（不図示）がカバーするセル２０２，２０３とが隣接している。
【００２９】
基地局１０１は、セル２０１内に存在するＵＥ３０１へ無線制御メッセージを送信する無線基地局である。本形態においては、基地局１０１は、ＨＮＢ（Ｈｏｍｅ  Ｎｏｄｅ  Ｂ）のような小型無線基地局装置である。
【００３０】
ＵＥ３０１は、無線通信機能を有し、基地局１０１から送信されてきた無線制御メッセージを受信する通信端末である。また、ＵＥ３０１は、移動可能な通信端末であっても良い。
【００３１】
図３は、図２に示した基地局１０１の内部構成の一例を示す図である。
【００３２】
図２に示した基地局１０１には図３に示すように、メモリ１１０と、送信電力値比較部１１１と、無線制御メッセージ組立部１１２と、送信部１１３とが設けられている。
【００３３】
メモリ１１０は、基準信号であるＰｒｉｍａｒｙ  ＣＰＩＣＨ（プライマリ共通パイロットチャネル）の送信電力の値としてあらかじめ設定された送信電力値を記憶する。
【００３４】
送信電力値比較部１１１は、メモリ１１０に記憶された送信電力値とあらかじめ設定された閾値とを比較する。この閾値とは、標準化で規定されているＰｒｉｍａｒｙ  ＣＰＩＣＨの送信電力値の範囲の下限である「−１０［ｄＢｍ］」である。
【００３５】
無線制御メッセージ組立部１１２は、送信電力値比較部１１１における比較の結果、メモリ１１０に記憶された送信電力値が閾値「−１０［ｄＢｍ］」以上である場合、送信電力値を通知電力値として無線制御メッセージを組み立てる。また、メモリ１１０に記憶された送信電力値が閾値「−１０［ｄＢｍ］」よりも小さな場合、閾値「−１０［ｄＢｍ］」を通知電力値とし、メモリ１１０に記憶された送信電力値から閾値「−１０［ｄＢｍ］」を差し引いた値を補足電力値（補正電力値ともいう。）として無線制御メッセージを組み立てる。例えば、メモリ１１０に記憶されている送信電力値が「−５０［ｄＢｍ］」である場合、送信電力値「−５０［ｄＢｍ］」から閾値「−１０［ｄＢｍ］」を差し引いた値「−４０［ｄＢｍ］」が補足電力値となる。
【００３６】
なお、理解を容易にするため、標準化で規定されているＰｒｉｍａｒｙ  ＣＰＩＣＨの送信電力値の範囲の下限である「−１０［ｄＢｍ］」の閾値を用いたが、これに限定されない。例えば、他の標準やＰｒｉｍａｒｙ  ＣＰＩＣＨ以外の送信または受信電力値にて規定される値としてもよい。
【００３７】
図４は、図３に示した無線制御メッセージ組立部１１２が組み立てる無線制御メッセージの自セル情報を示すパラメータの構成例を示す図である。
【００３８】
図４に示すように、自セル（図２に示した形態においては、セル２０１）の情報に、Ｐｒｉｍａｒｙ  ＣＰＩＣＨの送信電力値（Ｐｒｉｍａｒｙ  ＣＰＩＣＨ  Ｔｘ  Ｐｏｗｅｒ）が通知電力値として示されている。これは、３ＧＰＰ  ＴＳ２５．３３１に規定されているものである。また、Ｐｒｉｍａｒｙ  ＣＰＩＣＨの補足電力値として、Ｄｅｌｔａ  Ｐｒｉｍａｒｙ  ＣＰＩＣＨ  Ｔｘ  Ｐｏｗｅｒが示されている。これは、本発明の特徴となるものである。
【００３９】
図５は、図３に示した無線制御メッセージ組立部１１２が組み立てる無線制御メッセージの近隣セル情報を示すパラメータの構成例を示す図である。
【００４０】
図５に示すように、近隣セル（図２に示した形態においては、セル２０２またはセル２０３）の情報に、近隣セルをカバーする基地局から送信されるＰｒｉｍａｒｙ  ＣＰＩＣＨの送信電力値（Ｐｒｉｍａｒｙ  ＣＰＩＣＨ  Ｔｘ  Ｐｏｗｅｒ）が通知電力値として示されている。これは、３ＧＰＰ  ＴＳ２５．３３１に規定されているものである。また、Ｐｒｉｍａｒｙ  ＣＰＩＣＨの補足電力値として、Ｄｅｌｔａ  Ｐｒｉｍａｒｙ  ＣＰＩＣＨ  Ｔｘ  Ｐｏｗｅｒが示されている。これは、本発明の特徴となるものである。
【００４１】
図６は、図３に示した無線制御メッセージ組立部１１２が組み立てる無線制御メッセージに含まれる、図４および図５に示したＰｒｉｍａｒｙ  ＣＰＩＣＨの送信電力値（Ｔｘ  Ｐｏｗｅｒ）の範囲を示すパラメータの構成例を示す図である。
【００４２】
図６に示すように、図４および図５に示したＰｒｉｍａｒｙ  ＣＰＩＣＨの送信電力値（Ｔｘ  Ｐｏｗｅｒ）の範囲が、「−１０［ｄＢｍ］〜５０［ｄＢｍ］」に設定されている。これは、３ＧＰＰ  ＴＳ２５．３３１に規定されているものである。
【００４３】
図７は、図３に示した無線制御メッセージ組立部１１２が組み立てる無線制御メッセージに含まれる、図４および図５に示したＤｅｌｔａ  Ｐｒｉｍａｒｙ  ＣＰＩＣＨ  Ｔｘ  Ｐｏｗｅｒの範囲を示すパラメータの構成例を示す図である。
【００４４】
図７に示すように、図４および図５に示したＤｅｌｔａ  Ｐｒｉｍａｒｙ  ＣＰＩＣＨ  Ｔｘ  Ｐｏｗｅｒの範囲が、「−６０［ｄＢｍ］〜−１［ｄＢｍ］」に設定されている。
【００４５】
送信部１１３は、無線制御メッセージ組立部１１２が組み立てた無線制御メッセージをメモリ１１０に記憶された送信電力値が示す送信電力でＵＥ３０１へ送信する。
【００４６】
ここで、無線制御メッセージとは、基地局がブロードキャストする報知情報である。報知情報は、自セルの情報と近隣セルの情報との少なくとも１つを有している。その具体例を下記する。
【００４７】
自セルの情報を含む報知情報の具体例：
・  Ｓｙｓｔｅｍ  ｉｎｆｏｒｍａｔｉｏｎ  Ｂｌｏｃｋ  Ｔｙｐｅ  ５
・Ｓｙｓｔｅｍ  ｉｎｆｏｒｍａｔｉｏｎ  Ｂｌｏｃｋ  Ｔｙｐｅ  ５  ｂｉｓ
・Ｓｙｓｔｅｍ  ｉｎｆｏｒｍａｔｉｏｎ  Ｂｌｏｃｋ  Ｔｙｐｅ  ６
近隣セルの情報を含む報知情報の具体例：
・  Ｓｙｓｔｅｍ  ｉｎｆｏｒｍａｔｉｏｎ  Ｂｌｏｃｋ  Ｔｙｐｅ  １１
また、無線制御メッセージは、３ＧＰＰ  ＴＳ２５．３３１に規定されるＭｅａｓｕｒｅｍｅｎｔ  Ｃｏｎｔｒｏｌメッセージであってもよい。この場合、通信端末と基地局間でＲＲＣ  Ｃｏｎｎｅｃｔｉｏｎが確立した後、基地局が、Ｍｅａｒｕｒｅｍｅｎｔ  Ｃｏｎｔｒｏｌメッセージを通信端末に送信する。このＭｅａｒｕｒｅｍｅｎｔ  Ｃｏｎｔｒｏｌメッセージに、上記自セルの情報と近隣セルの情報との少なくとも１つを含めてもよい。
【００４８】
図８は、図２に示したＵＥ３０１の内部構成の一例を示す図である。
【００４９】
図２に示したＵＥ３０１には図８に示すように、通知電力値比較部３１０と、抽出部３１１と、計算部３１２と、認識部３１３とが設けられている。
【００５０】
通知電力値比較部３１０は、基地局１０１から送信されてきた通知電力値と送信電力値比較部１１１における比較で用いた閾値とを比較する。また、通知電力値比較部３１０は、比較の結果、通知電力値と閾値とが異なる場合、通知電力値を認識部３１３へ出力する。また、通知電力値比較部３１０は、比較の結果、通知電力値と閾値とが同じ場合、当該無線制御メッセージを抽出部３１１へ出力する。ここで、通知電力値比較部３１０は、当該無線制御メッセージと通知電力値とを抽出部３１１へ出力するものであっても良い。
【００５１】
抽出部３１１は、無線制御メッセージが通知電力値比較部３１０から出力されてきた場合、当該無線制御メッセージから通知電力値と上述した補足電力値とを抽出する。または、抽出部３１１は、無線制御メッセージと通知電力値とが通知電力値比較部３１０から出力されてきた場合、当該無線制御メッセージから上述した補足電力値を抽出する。また、抽出部３１１は、抽出した補足電力値と通知電力値とを計算部３１２へ出力する。
【００５２】
計算部３１２は、抽出部３１１から通知電力値と補足電力値とが出力されてきた場合、通知電力値に補足電力値を加算する。また、計算部３１２は、加算した計算値を認識部３１３へ出力する。
【００５３】
認識部３１３は、通知電力値比較部３１０から通知電力値が出力されてきた場合、当該通知電力値をＰｒｉｍａｒｙ  ＣＰＩＣＨの送信電力値として認識する。また、認識部３１３は、計算部３１２から計算値が出力されてきた場合、当該計算値をＰｒｉｍａｒｙ  ＣＰＩＣＨの送信電力値として認識する。
【００５４】
以下に、本形態における送信電力値通知方法について説明する。まずは、図２に示した基地局１０１における処理について説明する。
【００５５】
図９は、本形態における送信電力値通知方法のうち、図２に示した基地局１０１における処理を説明するためのフローチャートである。
【００５６】
まず、ステップ１にてセル情報が自セル情報であるか、近隣セル情報であるかが判別される。これは、ＵＥ３０１へ通知するＰｒｉｍａｒｙ  ＣＰＩＣＨの送信電力値が自セルの基地局１０１から送信されるものであるのか、それとも近隣セルの基地局から送信されるものであるかが判別されるものである。
【００５７】
セル情報が自セル情報であると判別されると、メモリ１１０に記憶されている自セルへ送信する送信電力値とあらかじめ設定された閾値とが、ステップ２にて送信電力値比較部１１１によって比較される。この閾値は、上述したように、Ｐｒｉｍａｒｙ  ＣＰＩＣＨの送信電力値の範囲の下限である「−１０［ｄＢｍ］」である。なお、この送信電力値は、基地局１０１の上位装置から設定されてメモリ１１０に書き込まれるものであっても良いし、基地局１０１を操作するオペレータによってメモリ１１０に書き込まれるものであっても良いし、また、基地局１０１が所定のタイミング（例えば、起動時）で、他に設けられた利用者の情報が格納されたデータベースから取得してメモリ１１０に書き込んでおくものであっても良い。
【００５８】
すると、送信電力値比較部１１１による比較結果に基づいて、無線制御メッセージ組立部１１２によって無線制御メッセージが組み立てられる。具体的には、無線制御メッセージは以下のように組み立てられる。
【００５９】
送信電力値比較部１１１による比較の結果、メモリ１１０に記憶されている送信電力値が閾値「−１０［ｄＢｍ］」以上である場合、ステップ３にて当該送信電力値が図４で説明したＰｒｉｍａｒｙ  ＣＰＩＣＨ  Ｔｘ  Ｐｏｗｅｒに設定され、図４で説明したＤｅｌｔａ  Ｐｒｉｍａｒｙ  ＣＰＩＣＨ  Ｔｘ  Ｐｏｗｅｒには、何も設定されない無線制御メッセージが組み立てられる。このとき、Ｄｅｌｔａ  Ｐｒｉｍａｒｙ  ＣＰＩＣＨ  Ｔｘ  Ｐｏｗｅｒに「０」が設定されるものであっても良い。
【００６０】
一方、送信電力値比較部１１１による比較の結果、メモリ１１０に記憶されている送信電力値が閾値「−１０［ｄＢｍ］」よりも小さな値である場合、ステップ４にて閾値「−１０［ｄＢｍ］」が図４で説明したＰｒｉｍａｒｙ  ＣＰＩＣＨ  Ｔｘ  Ｐｏｗｅｒに設定され、当該送信電力値から閾値「−１０［ｄＢｍ］」が差し引かれた値が図４で説明したＤｅｌｔａ  Ｐｒｉｍａｒｙ  ＣＰＩＣＨ  Ｔｘ  Ｐｏｗｅｒに設定された無線制御メッセージが組み立てられる。
【００６１】
そして、ステップ３またはステップ４にて組み立てられた無線制御メッセージが送信部１１３からＵＥ３０１へ送信される。
【００６２】
一方、ステップ１にて、セル情報が近隣セル情報であると判別されると、メモリ１１０に記憶されている近隣セルへ送信する送信電力値とあらかじめ設定された閾値とが、ステップ５にて送信電力値比較部１１１によって比較される。この閾値は、上述したように、Ｐｒｉｍａｒｙ  ＣＰＩＣＨの送信電力値の範囲の下限である「−１０［ｄＢｍ］」である。なお、この送信電力値は、基地局１０１の上位装置から設定されてメモリ１１０に書き込まれるものであっても良いし、基地局１０１を操作するオペレータによってメモリ１１０に書き込まれるものであっても良いし、また、基地局１０１が所定のタイミング（例えば、起動時）で、他に設けられた利用者の情報が格納されたデータベースから取得してメモリ１１０に書き込んでおくものであっても良い。
【００６３】
すると、送信電力値比較部１１１による比較結果に基づいて、無線制御メッセージ組立部１１２によって無線制御メッセージが組み立てられる。具体的には、無線制御メッセージは以下のように組み立てられる。
【００６４】
送信電力値比較部１１１による比較の結果、メモリ１１０に記憶されている送信電力値が閾値「−１０［ｄＢｍ］」以上である場合、ステップ６にて当該送信電力値が図５で説明したＰｒｉｍａｒｙ  ＣＰＩＣＨ  Ｔｘ  Ｐｏｗｅｒに設定され、図５で説明したＤｅｌｔａ  Ｐｒｉｍａｒｙ  ＣＰＩＣＨ  Ｔｘ  Ｐｏｗｅｒには、何も設定されない無線制御メッセージが組み立てられる。このとき、Ｄｅｌｔａ  Ｐｒｉｍａｒｙ  ＣＰＩＣＨ  Ｔｘ  Ｐｏｗｅｒに「０」が設定されるものであっても良い。
【００６５】
一方、送信電力値比較部１１１による比較の結果、メモリ１１０に記憶されている送信電力値が閾値「−１０［ｄＢｍ］」よりも小さな値である場合、ステップ７にて閾値「−１０［ｄＢｍ］」が図５で説明したＰｒｉｍａｒｙ  ＣＰＩＣＨ  Ｔｘ  Ｐｏｗｅｒに設定され、当該送信電力値から閾値「−１０［ｄＢｍ］」が差し引かれた値が図５で説明したＤｅｌｔａ  Ｐｒｉｍａｒｙ  ＣＰＩＣＨ  Ｔｘ  Ｐｏｗｅｒに設定された無線制御メッセージが組み立てられる。
【００６６】
そして、ステップ６またはステップ７にて組み立てられた無線制御メッセージが送信部１１３からＵＥ３０１へ送信される。
【００６７】
次に、本形態における送信電力値通知方法のうち、図２に示したＵＥ３０１における処理について説明する。
【００６８】
図１０は、本形態における送信電力値通知方法のうち、図２に示したＵＥ３０１における処理を説明するためのフローチャートである。
【００６９】
まず、ステップ１１にて、基地局１０１から送信されてきた無線制御メッセージにおいて、自セル情報のメッセージと、近隣セル情報のメッセージとを別々に処理する。自セル情報のメッセージの場合、図４に示したようなパラメータが設定されている。近隣セル情報のメッセージの場合、図５に示したようなパラメータが設定されている。
【００７０】
自セル情報の場合、無線制御メッセージに含まれる通知電力値であるＰｒｉｍａｒｙ  ＣＰＩＣＨ  Ｔｘ  Ｐｏｗｅｒと閾値とが、ステップ１２にて通知電力値比較部３１０によって比較される。この閾値は、基地局１０１にて用いたものと同じ、Ｐｒｉｍａｒｙ  ＣＰＩＣＨの送信電力値の範囲の下限である「−１０［ｄＢｍ］」である。
【００７１】
通知電力値比較部３１０による比較の結果、Ｐｒｉｍａｒｙ  ＣＰＩＣＨ  Ｔｘ  Ｐｏｗｅｒと閾値「−１０［ｄＢｍ］」とが異なる場合、Ｐｒｉｍａｒｙ  ＣＰＩＣＨ  Ｔｘ  Ｐｏｗｅｒが認識部３１３へ出力される。そして、認識部３１３にて、通知電力値比較部３１０から出力されてきたＰｒｉｍａｒｙ  ＣＰＩＣＨ  Ｔｘ  Ｐｏｗｅｒが、基地局１０１から自セルへ送信されるＰｒｉｍａｒｙ  ＣＰＩＣＨの送信電力値であるとステップ１３にて認識される。
【００７２】
一方、通知電力値比較部３１０による比較の結果、Ｐｒｉｍａｒｙ  ＣＰＩＣＨ  Ｔｘ  Ｐｏｗｅｒと閾値「−１０［ｄＢｍ］」とが同じ場合、当該無線制御メッセージが抽出部３１１へ出力される。ここで、通知電力値比較部３１０から、当該無線制御メッセージとＰｒｉｍａｒｙ  ＣＰＩＣＨ  Ｔｘ  Ｐｏｗｅｒとが抽出部３１１へ出力されるものであっても良い。
【００７３】
すると、抽出部３１１によって、通知電力値比較部３１０から出力されてきた無線制御メッセージから補足電力値であるＤｅｌｔａ  Ｐｒｉｍａｒｙ  ＣＰＩＣＨ  Ｔｘ  Ｐｏｗｅｒが抽出される。Ｄｅｌｔａ  Ｐｒｉｍａｒｙ  ＣＰＩＣＨ  Ｔｘ  Ｐｏｗｅｒが存在しない（抽出できない）かどうか、またはＤｅｌｔａ  Ｐｒｉｍａｒｙ  ＣＰＩＣＨ  Ｔｘ  Ｐｏｗｅｒに「０」が設定されているかどうかが、ステップ１４にて抽出部３１１によって判別される。
【００７４】
Ｄｅｌｔａ  Ｐｒｉｍａｒｙ  ＣＰＩＣＨ  Ｔｘ  Ｐｏｗｅｒが存在しない（抽出できない）、またはＤｅｌｔａ  Ｐｒｉｍａｒｙ  ＣＰＩＣＨ  Ｔｘ  Ｐｏｗｅｒに「０」が設定されていると判別された場合、ステップ１３の処理が行われる。
【００７５】
一方、Ｄｅｌｔａ  Ｐｒｉｍａｒｙ  ＣＰＩＣＨ  Ｔｘ  Ｐｏｗｅｒが存在し（抽出できた）、Ｄｅｌｔａ  Ｐｒｉｍａｒｙ  ＣＰＩＣＨ  Ｔｘ  Ｐｏｗｅｒに「０」以外の値が設定されていると判別された場合、Ｐｒｉｍａｒｙ  ＣＰＩＣＨ  Ｔｘ  ＰｏｗｅｒとＤｅｌｔａ  Ｐｒｉｍａｒｙ  ＣＰＩＣＨ  Ｔｘ  Ｐｏｗｅｒとが計算部３１２へ出力される。
【００７６】
すると、抽出部３１１から出力されてきたＰｒｉｍａｒｙ  ＣＰＩＣＨ  Ｔｘ  ＰｏｗｅｒにＤｅｌｔａ  Ｐｒｉｍａｒｙ  ＣＰＩＣＨ  Ｔｘ  Ｐｏｗｅｒが計算部３１２によって加算される。加算された計算値は、計算部３１２から認識部３１３へ出力される。
【００７７】
そして、認識部３１３にて、計算部３１２から出力されてきた計算値が基地局１０１から自セルへ送信されるＰｒｉｍａｒｙ  ＣＰＩＣＨの送信電力値であるとステップ１５にて認識される。
【００７８】
一方、ステップ１１にて近隣セル情報として処理を行う場合、無線制御メッセージに含まれる通知電力値であるＰｒｉｍａｒｙ  ＣＰＩＣＨ  Ｔｘ  Ｐｏｗｅｒと閾値とが、ステップ１６にて通知電力値比較部３１０によって比較される。この閾値は、基地局１０１にて用いたものと同じ、Ｐｒｉｍａｒｙ  ＣＰＩＣＨの送信電力値の範囲の下限である「−１０［ｄＢｍ］」である。
【００７９】
通知電力値比較部３１０による比較の結果、Ｐｒｉｍａｒｙ  ＣＰＩＣＨ  Ｔｘ  Ｐｏｗｅｒと閾値「−１０［ｄＢｍ］」とが異なる場合、Ｐｒｉｍａｒｙ  ＣＰＩＣＨ  Ｔｘ  Ｐｏｗｅｒが認識部３１３へ出力される。そして、認識部３１３にて、通知電力値比較部３１０から出力されてきたＰｒｉｍａｒｙ  ＣＰＩＣＨ  Ｔｘ  Ｐｏｗｅｒが、基地局１０１から近隣セルへ送信されるＰｒｉｍａｒｙ  ＣＰＩＣＨの送信電力値であるとステップ１７にて認識される。
【００８０】
一方、通知電力値比較部３１０による比較の結果、Ｐｒｉｍａｒｙ  ＣＰＩＣＨ  Ｔｘ  Ｐｏｗｅｒと閾値「−１０［ｄＢｍ］」とが同じ場合、当該無線制御メッセージが抽出部３１１へ出力される。ここで、通知電力値比較部３１０から、当該無線制御メッセージとＰｒｉｍａｒｙ  ＣＰＩＣＨ  Ｔｘ  Ｐｏｗｅｒとが抽出部３１１へ出力されるものであっても良い。
【００８１】
すると、抽出部３１１によって、通知電力値比較部３１０から出力されてきた無線制御メッセージから補足電力値であるＤｅｌｔａ  Ｐｒｉｍａｒｙ  ＣＰＩＣＨ  Ｔｘ  Ｐｏｗｅｒが抽出される。ここで、Ｄｅｌｔａ  Ｐｒｉｍａｒｙ  ＣＰＩＣＨ  Ｔｘ  Ｐｏｗｅｒが存在しない（抽出できない）かどうか、またはＤｅｌｔａ  Ｐｒｉｍａｒｙ  ＣＰＩＣＨ  Ｔｘ  Ｐｏｗｅｒに「０」が設定されているかどうかが、ステップ１８にて抽出部３１１によって判別される。
【００８２】
Ｄｅｌｔａ  Ｐｒｉｍａｒｙ  ＣＰＩＣＨ  Ｔｘ  Ｐｏｗｅｒが存在しない（抽出できない）、またはＤｅｌｔａ  Ｐｒｉｍａｒｙ  ＣＰＩＣＨ  Ｔｘ  Ｐｏｗｅｒに「０」が設定されていると判別された場合、ステップＳ１７の処理が行われる。
【００８３】
一方、Ｄｅｌｔａ  Ｐｒｉｍａｒｙ  ＣＰＩＣＨ  Ｔｘ  Ｐｏｗｅｒが存在し（抽出できた）、Ｄｅｌｔａ  Ｐｒｉｍａｒｙ  ＣＰＩＣＨ  Ｔｘ  Ｐｏｗｅｒに「０」以外の値が設定されていると判別された場合、Ｐｒｉｍａｒｙ  ＣＰＩＣＨ  Ｔｘ  ＰｏｗｅｒとＤｅｌｔａ  Ｐｒｉｍａｒｙ  ＣＰＩＣＨ  Ｔｘ  Ｐｏｗｅｒとが計算部３１２へ出力される。
【００８４】
すると、抽出部３１１から出力されてきたＰｒｉｍａｒｙ  ＣＰＩＣＨ  Ｔｘ  ＰｏｗｅｒにＤｅｌｔａ  Ｐｒｉｍａｒｙ  ＣＰＩＣＨ  Ｔｘ  Ｐｏｗｅｒが計算部３１２によって加算される。加算された計算値は、計算部３１２から認識部３１３へ出力される。
【００８５】
そして、認識部３１３にて、計算部３１２から出力されてきた計算値が基地局１０１から近隣セルへ送信されるＰｒｉｍａｒｙ  ＣＰＩＣＨの送信電力値であるとステップ１９にて認識される。
【００８６】
以下に、上述したパラメータの設定方法について説明する。
【００８７】
図１１〜１３は、上述したパラメータの設定方法の一例を説明するための図である。これのパラメータ設定の方法は、ＴＳ２５．３３１に沿う表現で記載される。
【００８８】
図１１および図１２に示すように、パラメータＤｅｌｔａ  Ｐｒｉｍａｒｙ  ＣＰＩＣＨ  Ｔｘ  Ｐｏｗｅｒは、パラメータＰｒｉｍａｒｙ  ＣＰＩＣＨ  Ｔｘ  Ｐｏｗｅｒが設定されていて、かつパラメータＰｒｉｍａｒｙ  ＣＰＩＣＨ  Ｔｘ  Ｐｏｗｅｒの値が「−１０［ｄＢｍ］」の場合のみ有効な設定となっている。そうでない場合、パラメータＤｅｌｔａ  Ｐｒｉｍａｒｙ  ＣＰＩＣＨ  Ｔｘ  Ｐｏｗｅｒの設定は不要である。
【００８９】
なお、パラメータＰｒｉｍａｒｙ  ＣＰＩＣＨ  Ｔｘ  Ｐｏｗｅｒが設定されていない場合、以前に設定されたＰＲＡＣＨ  Ｓｙｓｔｅｍ  Ｉｎｆｏｒｍａｔｉｏｎに対応するＰｒｉｍａｒｙ  ＣＰＩＣＨ  Ｔｘ  Ｐｏｗｅｒの値が適用される（ＴＳ２５．３３１参照）。
【００９０】
また、図１３に示すように、パラメータＤｅｌｔａ  Ｐｒｉｍａｒｙ  ＣＰＩＣＨ  Ｔｘ  Ｐｏｗｅｒは、パラメータＰｒｉｍａｒｙ  ＣＰＩＣＨ  Ｔｘ  Ｐｏｗｅｒが設定されていて、かつＰｒｉｍａｒｙ  ＣＰＩＣＨ  Ｔｘ  Ｐｏｗｅｒの値が「−１０［ｄＢｍ］」の場合のみ有効な設定となっている。そうでない場合、パラメータＤｅｌｔａ  Ｐｒｉｍａｒｙ  ＣＰＩＣＨ  Ｔｘ  Ｐｏｗｅｒの設定は不要である。
【００９１】
なお、パラメータＰｒｉｍａｒｙ  ＣＰＩＣＨ  Ｔｘ  Ｐｏｗｅｒは、Ｐａｔｈｌｏｓｓの計算において必要とされるパラメータであって、これが設定されていない場合、該当する近隣セルにおいてパラメータＰｒｉｍａｒｙ  ＣＰＩＣＨ  Ｔｘ  Ｐｏｗｅｒを設定する必要のない無線通信測定条件である（ＴＳ２５．３３１参照）。
【００９２】
なお、図１３に示したパラメータＤｅｌｔａ  Ｐｒｉｍａｒｙ  ＣＰＩＣＨ  Ｔｘ  Ｐｏｗｅｒは、図１２に示した１０．３．６．６１ｘ章を指す。
（第２の実施の形態）
図１４は、本発明の通信システムの第２の実施の形態を示す図である。
【００９３】
本形態は図１４に示すように、基地局１０１，１０２と、ＵＥ３０１，３０２とから構成されており、基地局１０１がカバーするセル２０１に、基地局１０２がカバーするセル２０２と、他の基地局（不図示）がカバーするセル２０３とが隣接している。
【００９４】
基地局１０１は、基地局１０２とセル２０１内に存在するＵＥ３０１とへ無線制御メッセージを送信する無線基地局である。
【００９５】
基地局１０２は、基地局１０１とセル２０２内に存在するＵＥ３０２とへ無線制御メッセージを送信する無線基地局である。
【００９６】
ＵＥ３０１は、無線通信機能を有し、基地局１０１から送信されてきた無線制御メッセージを受信する通信端末である。また、ＵＥ３０１は、移動可能な通信端末であっても良い。
【００９７】
ＵＥ３０２は、無線通信機能を有し、基地局１０２から送信されてきた無線制御メッセージを受信する通信端末である。また、ＵＥ３０２は、移動可能な通信端末であっても良い。
【００９８】
図１５は、図１４に示した基地局１０２の内部構成の一例を示す図である。
【００９９】
図１４に示した基地局１０２には図１５に示すように、メモリ１２０と、送信電力値比較部１２１と、無線制御メッセージ組立部１２２と、送信部１２３と、通知電力値比較部１２４と、抽出部１２５と、計算部１２６と、認識部１２７とが設けられている。
【０１００】
メモリ１２０は、図３に示したメモリ１１０と同じものである。
【０１０１】
送信電力値比較部１２１は、図３に示した送信電力値比較部１１１が有する機能に加えて、認識部１２７から出力されてきた送信電力値とあらかじめ設定された閾値とを比較する。この閾値とは、標準化で規定されているＰｒｉｍａｒｙ  ＣＰＩＣＨの送信電力値の範囲の下限である「−１０［ｄＢｍ］」である。
【０１０２】
無線制御メッセージ組立部１２２は、図３に示した無線制御メッセージ組立部１１２と同じものである。
【０１０３】
送信部１２３は、図３に示した送信部１１３と同じものである。
【０１０４】
通知電力値比較部１２４は、図８に示した通知電力値比較部３１０と同じものである。
【０１０５】
抽出部１２５は、図８に示した抽出部３１１と同じものである。
【０１０６】
計算部１２６は、図８に示した計算部３１２と同じものである。
【０１０７】
認識部１２７は、図８に示した認識部３１３が有する機能に加えて、認識した送信電力値を送信電力値比較部１２１へ出力する。
【０１０８】
このような構成をとることにより、基地局１０２は、セル２０２と隣接するセル２０１をカバーする隣接基地局である基地局１０１からの送信電力値を認識することができ、認識した基地局１０１からの送信電力値をＵＥ３０２へ通知することができる。これにより、ＵＥ３０２は、近隣セル２０１の基地局１０１からの送信電力値を認識することができる。
【０１０９】
なお、基地局１０１が基地局１０２と同じ構成を有するものであっても良いことは言うまでもない。
（第３の実施の形態）
図１６は、本発明の通信システムの第３の実施の形態を示す図である。
【０１１０】
本形態は図１６に示すように、ＲＮＣ４００と、基地局１０３と、ＵＥ３０１とから構成されており、基地局１０１がカバーするセル２０１と、他の基地局（不図示）がカバーするセル２０２，２０３とが隣接している。
【０１１１】
ＲＮＣ４００は、基地局１０３を制御する無線基地局制御装置である。また、ＲＮＣ４００は、無線リンク設定手順であるＮＢＡＰ（Ｎｏｄｅ  Ｂ  Ａｐｐｌｉｃａｔｉｏｎ  Ｐａｒｔ）信号を基地局１０３へ送信する送信メッセージとして用いて基地局１０３を制御する。
【０１１２】
基地局１０３は、セル２０１内に存在するＵＥ３０１へ無線制御メッセージを送信する無線基地局である。本形態においては、基地局１０３は、ＮＢ（Ｎｏｄｅ  Ｂ）のような一般的な無線基地局装置である。
【０１１３】
ＵＥ３０１は、無線通信機能を有し、基地局１０３から送信されてきた無線制御メッセージを受信する通信端末である。また、ＵＥ３０１は、移動可能な通信端末であっても良い。
【０１１４】
図１７は、図１６に示したＲＮＣ４００の内部構成の一例を示す図である。
【０１１５】
図１６に示したＲＮＣ４００には図１７に示すように、メモリ４１０と、送信電力値比較部４１１と、送信メッセージ組立部４１２と、送信部４１３とが設けられている。
【０１１６】
メモリ４１０は、Ｐｒｉｍａｒｙ  ＣＰＩＣＨの送信電力の値としてあらかじめ設定された送信電力値を記憶する。
【０１１７】
送信電力値比較部４１１は、メモリ４１０に記憶された送信電力値とあらかじめ設定された閾値とを比較する。この閾値とは、上述したＮＢＡＰ信号内で送信電力値を通知電力値として設定できる範囲の下限値（以下、第１の閾値と称する）である。
【０１１８】
送信メッセージ組立部４１２は、送信電力値比較部１１１における比較の結果、メモリ４１０に記憶された送信電力値が第１の閾値以上である場合、送信電力値を第１の通知電力値としてＮＢＡＰ信号を組み立てる。また、メモリ４１０に記憶された送信電力値が第１の閾値よりも小さな場合、第１の閾値を通知電力値とし、メモリ４１０に記憶された送信電力値から第１の閾値を差し引いた値を第１の補足電力値としてＮＢＡＰ信号を組み立てる。例えば、メモリ４１０に記憶されている送信電力値が「−１００［ｄＢｍ］」であり、第１の閾値が「−１０［ｄＢｍ］」である場合、送信電力値「−１００［ｄＢｍ］」から第１の閾値「−１０［ｄＢｍ］」を差し引いた値「−９０［ｄＢｍ］」が第１の補足電力値となる。
【０１１９】
ここで、第１の通知電力値は、第１の実施の形態で説明したＰｒｉｍａｒｙ  ＣＰＩＣＨ  Ｔｘ  Ｐｏｗｅｒに相当するＮＢＡＰ信号内のパラメータであり、第１の補足電力値は、第１の実施の形態で説明したＤｅｌｔａ  Ｐｒｉｍａｒｙ  ＣＰＩＣＨ  Ｔｘ  Ｐｏｗｅｒに相当するＮＢＡＰ信号内のパラメータである。
【０１２０】
送信部４１３は、送信メッセージ組立部４１２が組み立てたＮＢＡＰ信号を基地局１０３へ送信する。
【０１２１】
図１８は、図１６に示した基地局１０３の内部構成の一例を示す図である。
【０１２２】
図１６に示した基地局１０３には図１８に示すように、通知電力値比較部１３４と、認識部１３０と、送信電力値比較部１３１と、無線制御メッセージ組立部１３２と、送信部１３３とが設けられている。
【０１２３】
通知電力値比較部１３４は、ＲＮＣ４００から送信されてきたＮＢＡＰ信号から第１の通知電力値と第１の閾値とを比較する。また、通知電力値比較部１３４は、比較結果を認識部１３０へ出力する。
【０１２４】
認識部１３０は、通知電力値比較部１３４から出力されてきた比較結果に基づいて、第１の通知電力値と第１の補足電力値とを用いて、送信電力値を認識する。具体的な認識方法を以下に説明する。
【０１２５】
比較結果が、第１の通知電力値と第１の閾値とが異なる場合、第１の通知電力値を送信電力値と認識する。一方、比較結果が、第１の通知電力値と第１の閾値とが同じ場合は、第１の通知電力値に第１の補足電力値を加算した値を送信電力値と認識する。
【０１２６】
また、認識部１３０は、認識した送信電力値を送信部１３３および送信電力値比較部１３１へ出力する。
【０１２７】
送信電力値比較部１３１は、認識部１３０から出力されてきた送信電力値とあらかじめ設定された第２の閾値とを比較する。この第２の閾値とは、標準化で規定されているＰｒｉｍａｒｙ  ＣＰＩＣＨの送信電力値の範囲の下限である「−１０［ｄＢｍ］」である。また、送信電力値比較部１３１は、比較結果を無線制御メッセージ組立部１３２へ出力する。
【０１２８】
無線制御メッセージ組立部１３２は、送信電力値比較部１３１における比較の結果、認識部１３０から出力されてきた送信電力値が第２の閾値「−１０［ｄＢｍ］」以上である場合、送信電力値を第２の通知電力値として無線制御メッセージを組み立てる。また、認識部１３０から出力されてきた送信電力値が第２の閾値「−１０［ｄＢｍ］」よりも小さな場合、第２の閾値「−１０［ｄＢｍ］」を第２の通知電力値とし、認識部１３０から出力されてきた送信電力値から第２の閾値「−１０［ｄＢｍ］」を差し引いた値を第２の補足電力値として無線制御メッセージを組み立てる。例えば、認識部１３０から出力されてきた送信電力値が「−１００［ｄＢｍ］」である場合、送信電力値「−１００［ｄＢｍ］」から閾値「−１０［ｄＢｍ］」を差し引いた値「−９０［ｄＢｍ］」が第２の補足電力値となる。
【０１２９】
送信部１３３は、無線制御メッセージ組立部１３２が組み立てた無線制御メッセージを認識部１３０から出力されてきた送信電力値が示す送信電力でＵＥ３０１へ送信する。
【０１３０】
このように、第３の実施の形態においては、ＲＮＣ４００と基地局１０３との間の送信電力値の通知で、既存の信号（本形態においてはＮＢＡＰ）を用いて、基地局１０３とＵＥ３０１との間における送信電力値の通知と同様の工夫を施す。これにより、既存の信号についても、規定された設定範囲を下回る設定が可能となる。
【０１３１】
また、第１〜３の実施の形態において、Ｐｒｉｍａｒｙ  ＣＰＩＣＨ  Ｔｘ  Ｐｏｗｅｒの設定範囲を拡張する方法も考えられる。
【０１３２】
図１９は、Ｐｒｉｍａｒｙ  ＣＰＩＣＨ  Ｔｘ  Ｐｏｗｅｒの設定範囲を拡張した場合のパラメータの一例を示す図である。
【０１３３】
図１９に示すように、Ｐｒｉｍａｒｙ  ＣＰＩＣＨ  Ｔｘ  Ｐｏｗｅｒの設定範囲を−７０［ｄＢｍ］〜５０［ｄＢｍ］へ拡張したものであっても良い。
【０１３４】
また、送信電力値がＰｒｉｍａｒｙ  ＣＰＩＣＨ  Ｔｘ  Ｐｏｗｅｒの設定範囲の下限を下回る場合、他のパラメータを用いて設定するものであっても良い。
【０１３５】
図２０〜２２は、送信電力値がＰｒｉｍａｒｙ  ＣＰＩＣＨ  Ｔｘ  Ｐｏｗｅｒの設定範囲の下限を下回る場合に用いられるパラメータの設定方法の一例を説明するための図である。
【０１３６】
図２０および図２１に示すように、パラメータＰｒｉｍａｒｙ  ＣＰＩＣＨ  Ｔｘ  Ｐｏｗｅｒ  Ｅｘｔｅｎｓｉｏｎは、パラメータＰｒｉｍａｒｙ  ＣＰＩＣＨ  Ｔｘ  Ｐｏｗｅｒが設定されていて、かつパラメータＰｒｉｍａｒｙ  ＣＰＩＣＨ  Ｔｘ  Ｐｏｗｅｒの値が「−１０［ｄＢｍ］」の場合のみ有効な設定となっている。そうでない場合、パラメータＰｒｉｍａｒｙ  ＣＰＩＣＨ  Ｔｘ  Ｐｏｗｅｒ  Ｅｘｔｅｎｓｉｏｎの設定は不要である。また、パラメータＰｒｉｍａｒｙ  ＣＰＩＣＨ  Ｔｘ  Ｐｏｗｅｒ  Ｅｘｔｅｎｓｉｏｎの設定範囲は、−７０［ｄＢｍ］〜５０［ｄＢｍ］となっている。
【０１３７】
また、図２２に示すように、パラメータＰｒｉｍａｒｙ  ＣＰＩＣＨ  Ｔｘ  Ｐｏｗｅｒ  Ｅｘｔｅｎｓｉｏｎは、パラメータＰｒｉｍａｒｙ  ＣＰＩＣＨ  Ｔｘ  Ｐｏｗｅｒが設定されていて、かつパラメータＰｒｉｍａｒｙ  ＣＰＩＣＨ  Ｔｘ  Ｐｏｗｅｒの値が「−１０［ｄＢｍ］」の場合のみ有効な設定となっている。そうでない場合、パラメータＰｒｉｍａｒｙ  ＣＰＩＣＨ  Ｔｘ  Ｐｏｗｅｒ  Ｅｘｔｅｎｓｉｏｎの設定は不要である。また、パラメータＰｒｉｍａｒｙ  ＣＰＩＣＨ  Ｔｘ  Ｐｏｗｅｒ  Ｅｘｔｅｎｓｉｏｎの設定範囲は、−７０［ｄＢｍ］〜５０［ｄＢｍ］となっている。
【０１３８】
なお、図２２に示したパラメータＰｒｉｍａｒｙ  ＣＰＩＣＨ  Ｔｘ  Ｐｏｗｅｒ  Ｅｘｔｅｎｓｉｏｎは、図２１に示した１０．３．６．６１ｘ章を指す。
【０１３９】
また、以上説明した形態の基本的構成はＴＳ２５．３３１に準拠するＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムに対する構成であるが、最小送信電力値の設定方法に関して、Ｅ−ＵＴＲＡＮ（ＴＳ３６．３３１）においても適用可能である。
（第４の実施形態）
上記の実施形態においては、フェムトセルを有するＨＮＢ（Ｈｏｍｅ  Ｎｏｄｅ  Ｂ）のような小型無線基地局装置を対象としている。
【０１４０】
これに対して、本実施形態においては、マクロセルを有する基地局装置を対象としている。この場合、上記の実施形態と同様に、例えば、マクロセルに送信（ブロードキャスト）する無線制御メッセージ（Ｓｙｓｔｅｍ  Ｉｎｆｏｒｍａｔｉｏｎ）に、上記のパラメータを設定すればよい。
【０１４１】
以上説明したように、本発明においては、以下に記載するような効果を奏する。
【０１４２】
第１の効果は、Ｐｒｉｍａｒｙ  ＣＰＩＣＨ  Ｔｘ  Ｐｏｗｅｒの最小値を下回る設定における設定手段を有しているため、小型無線基地局における、小さな送出電力設定ができることである。
【０１４３】
第２の効果は、Ｐｒｉｍａｒｙ  ＣＰＩＣＨ  Ｔｘ  Ｐｏｗｅｒの最小値を下回る設定における設定手段を有しているため、節約モードの無線基地局における、小さな送出電力設定ができることである。
【０１４４】
第３の効果は、無線基地局がＰｒｉｍａｒｙ  ＣＰＩＣＨ  Ｔｘ  Ｐｏｗｅｒの最小値を下回る設定値を通信端末に送信できるので、通信端末は、送信電力の設定値及び無線基地局が実際に送信する送信電力値を知ることができることである。
【０１４５】
第４の効果は、既存のパラメータＰｒｉｍａｒｙ  ＣＰＩＣＨ  Ｔｘ  Ｐｏｗｅｒが最小値である場合にのみ有効なパラメータＤｅｌｔａ  Ｐｒｉｍａｒｙ  ＣＰＩＣＨ  Ｔｘ  Ｐｏｗｅｒを利用して小さな送信電力設定を可能としているため、パラメータＤｅｌｔａ  Ｐｒｉｍａｒｙ  ＣＰＩＣＨ  Ｔｘ  Ｐｏｗｅｒを認識することのできない既存の無線通信ノード（例えば、移動端末、小型無線基地局など）に与える最小電力差分のインパクトを軽減できることである。
【０１４６】
第５の効果は、無線基地局が送信するPrimary  CPICH  Tx  Powerの最小値を下回る設定値を通信端末に通知できるので、通信端末が送信するアップリンク送信電力も抑えることが可能となり、通信端末の省電力化を図れる。
【０１４７】
上述した実施形態において、送信電力値と閾値とが同じ場合、補正電力値に０（ゼロ）を設定し、補正電力値および通知電力値を通信端末へ送信したが、補正電力値のパラメータ自体を設定しないようにしても良い。通信端末は、補正電力値のパラメータが設定されていない場合は、補正電力値が０であることを認識する。
【０１４８】
上述した実施形態において、上述した基地局１０１〜１０３、ＵＥ３０１およびＲＮＣ４００の処理は、それぞれ目的に応じて作製された論理回路で行うようにしても良い。また、処理内容を手順として記述したプログラムを基地局１０１〜１０３、ＵＥ３０１およびＲＮＣ４００にてそれぞれ読取可能な記録媒体に記録し、この記録媒体に記録されたプログラムを基地局１０１〜１０３、ＵＥ３０１およびＲＮＣ４００にそれぞれ読み込ませ、実行するものであっても良い。基地局１０１〜１０３、ＵＥ３０１およびＲＮＣ４００にて読取可能な記録媒体とは、フロッピーディスク（登録商標）、光磁気ディスク、ＤＶＤ、ＣＤなどの移設可能な記録媒体の他、基地局１０１〜１０３、ＵＥ３０１およびＲＮＣ４００にそれぞれ内蔵されたＲＯＭ、ＲＡＭ等のメモリやＨＤＤ等を指す。この記録媒体に記録されたプログラムは基地局１０１〜１０３、ＵＥ３０１およびＲＮＣ４００内のＣＰＵ（不図示）にてそれぞれ読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１４９】
さらに、本発明は上述した実施の形態のみに限定されるものではなく、既に述べた本発明の要旨を逸脱しない範囲において種々の変更が可能であることは勿論である。
【０１５０】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１５１】
この出願は、２００９年４月２４日に出願された日本出願特願２００９−１０６８２３を基礎とする優先権を主張し、その開示の全てをここに取り込む。
【図１】
2010122834.tif 000003
【図２】
2010122834.tif 000004
【図３】
2010122834.tif 000005
【図４】
2010122834.tif 000006
【図５】
2010122834.tif 000007
【図６】
2010122834.tif 000008
【図７】
2010122834.tif 000009
【図８】
2010122834.tif 000010
【図９】
2010122834.tif 000011
【図１０】
2010122834.tif 000012
【図１１】
2010122834.tif 000013
【図１２】
2010122834.tif 000014
【図１３】
2010122834.tif 000015
【図１４】
2010122834.tif 000016
【図１５】
2010122834.tif 000017
【図１６】
2010122834.tif 000018
【図１７】
2010122834.tif 000019
【図１８】
2010122834.tif 000020
【図１９】
2010122834.tif 000021
【図２０】
2010122834.tif 000022
【図２１】
2010122834.tif 000023
【図２２】
2010122834.tif 000024
【国際調査報告】
2010122834.tif 000025
2010122834.tif 000026
2010122834.tif 000027
2010122834.tif 000028